(57)【特許請求の範囲】
【請求項１】
両側に配した脚パネル間の上下中間位置に、天板の後部を支持するとともに、前記天板の側部で、前記脚パネルの前部と天板の前部との間を目隠し可能な側面パネルを着脱可能に設けた構造のデスクであって、前記側面パネルが少なくとも前記天板上面より下側から上方に立ち上げられ、該天板側面に沿って接して設けられていることを特徴とする側面パネル付きデスク。
【請求項２】
両側に配した脚パネル間の上下中間位置に、天板の後部を支持するとともに、前記天板の側部で、前記脚パネルの前部と天板の前部との間を目隠し可能な側面パネルを着脱可能に設けた構造のデスクであって、前記側面パネルは、前記天板の側面に沿って前記脚パネルの前面と天板の側面とに着脱可能に取付けてなることを特徴とする側面パネル付きデスク。
【請求項３】
両側に配した脚パネル間の上下中間位置に、天板の後部を支持するとともに、前記天板の側部で、前記脚パネルの前部と天板の前部との間を目隠し可能な側面パネルを着脱可能に設けた構造のデスクであって、前記天板は、前記脚パネルに対して高さ調節可能に支持するとともに、前記側面パネルに対して高さ調節可能に取付けてなることを特徴とする側面パネル付きデスク。
【請求項４】
前記両脚パネルの後端間に背面パネルを連結してなる請求項１〜３何れか１項に記載の側面パネル付きデスク。
【請求項５】
前記脚パネルの上端に延長脚パネルを取付け、前記側面パネルの下端部を前記天板の側面に取付けるとともに、該天板の高さに応じて前記延長脚パネルに対して前記側面パネルを高さ調節可能に取付けてなる請求項３記載の側面パネル付きデスク。
【発明の詳細な説明】
【技術分野】
【０００１】
本発明は、側面パネル付きデスクに係わり、更に詳しくは天板の両側位置に目隠し用の側面パネルを設けたデスクに関するものである。
【背景技術】
【０００２】
従来から、天板の側部に目隠しパネルを立設して、集中力を高めるように工夫したデスクは公知である。
【０００３】
特許文献１には、デスクの天板の後部両側に側面板を立設するとともに、両側面板の後部間を閉鎖する観音扉を設け、該観音扉を開いた際に天板の前部両側部に位置して目隠し機能を持たせる構造が開示されている。
【０００４】
また、特許文献２には、デスクの天板後部に机上棚を設置し、該机上棚の両側面板に対して垂直軸で回動可能又は前後方向に引き出し可能又は水平軸で回動可能に仕切板を設けた構造が開示されている。通常は、前記仕切板は机上棚の側面板に重なった状態、あるいは内部に押し込まれた状態で格納され、側部の目隠しが必要になったときに、仕切板を前方へ回動引き出し、あるいはスライド引き出すのである。
【０００５】
しかし、両引用文献に記載のデスクは、天板の高さが調節できない構造であり、特に学習机として用いる場合には、子供の成長に応じて天板の高さを調節できないといった問題がある。また、扉や仕切板が可動構造であるため、目隠しパネルとして使用する場合に、不意に変位しないように固定する必要があるとともに、可動部で指詰めしないような工夫をする必要があり、実用的ではない。
【先行技術文献】
【特許文献】
【０００６】
【特許文献１】実開平０３−１２７５４４号公報
【特許文献２】特開２００３−３０４９３９号公報
【発明の概要】
【発明が解決しようとする課題】
【０００７】
そこで、本発明が前述の状況に鑑み、解決しようとするところは、天板の前部の両側部に目隠し機能を有する側面パネルを簡単且つ強固に取付けることができ、また天板の高さを子供の成長に応じて変更することが可能な側面パネル付きデスクを提供する点にある。
【課題を解決するための手段】
【０００８】
本発明は、前述の課題解決のために、両側に配した脚パネル間の上下中間位置に、天板の後部を支持するとともに、前記天板の側部で、前記脚パネルの前部と天板の前部との間を目隠し可能な側面パネルを着脱可能に設けた構造のデスクであって、前記側面パネルが少なくとも前記天板上面より下側から上方に立ち上げられ、該天板側面に沿って接して設けられていることを特徴とする側面パネル付きデスクを構成した（請求項１）。
【０００９】
また、本発明は、両側に配した脚パネル間の上下中間位置に、天板の後部を支持するとともに、前記天板の側部で、前記脚パネルの前部と天板の前部との間を目隠し可能な側面パネルを着脱可能に設けた構造のデスクであって、前記側面パネルは、前記天板の側面に沿って前記脚パネルの前面と天板の側面とに着脱可能に取付けてなることを特徴とする側面パネル付きデスクを構成した（請求項２）。
【００１０】
また、本発明は、両側に配した脚パネル間の上下中間位置に、天板の後部を支持するとともに、前記天板の側部で、前記脚パネルの前部と天板の前部との間を目隠し可能な側面パネルを着脱可能に設けた構造のデスクであって、前記天板は、前記脚パネルに対して高さ調節可能に支持するとともに、前記側面パネルに対して高さ調節可能に取付けてなることを特徴とする側面パネル付きデスクを構成した（請求項３）。
【００１１】
そして、前記両脚パネルの後端間に背面パネルを連結してなることがより好ましい（請求項４）。
【００１２】
更に、前記脚パネルの上端に延長脚パネルを取付け、前記側面パネルの下端部を前記天板の側面に取付けるとともに、該天板の高さに応じて前記延長脚パネルに対して前記側面パネルを高さ調節可能に取付けてなることも好ましい（請求項５）。
【発明の効果】
【００１３】
以上にしてなる請求項１に係る発明の側面パネル付きデスクは、両側に配した脚パネル間の上下中間位置に、天板の後部を支持するとともに、前記天板の側部で、前記脚パネルの前部と天板の前部との間を目隠し可能な側面パネルを着脱可能に設けた構造のデスクであって、前記側面パネルが少なくとも前記天板上面より下側から上方に立ち上げられ、該天板側面に沿って接して設けられているので、天板の側端面を隠蔽できるとともに、脚パネルと側面パネルとが一体となって天板の側部を遮蔽して、デスクワークにおける集中力を向上させることができる。つまり、デスクの天板の後部は脚パネルで視線を遮り、天板の前部は側面パネルで視線を遮ることができる。
【００１４】
請求項２に係る発明の側面パネル付きデスクは、両側に配した脚パネル間の上下中間位置に、天板の後部を支持するとともに、前記天板の側部で、前記脚パネルの前部と天板の前部との間を目隠し可能な側面パネルを着脱可能に設けた構造のデスクであって、前記側面パネルは、前記天板の側面に沿って前記脚パネルの前面と天板の側面とに着脱可能に取付けてなるので、脚パネルと側面パネルとが一体となって天板の側部を遮蔽して、デスクワークにおける集中力を向上させることができ、更に前記脚パネルと側面パネルとが一枚パネルのように一体化して外観性が向上するとともに、天板の前部を、側面パネルを介して脚パネルで支持するので天板の支持強度が格段に向上する。
【００１５】
請求項３に係る発明の側面パネル付きデスクは、両側に配した脚パネル間の上下中間位置に、天板の後部を支持するとともに、前記天板の側部で、前記脚パネルの前部と天板の前部との間を目隠し可能な側面パネルを着脱可能に設けた構造のデスクであって、前記天板は、前記脚パネルに対して高さ調節可能に支持するとともに、前記側面パネルに対して高さ調節可能に取付けてなるので、脚パネルと側面パネルとが一体となって天板の側部を遮蔽して、デスクワークにおける集中力を向上させることができ、更に子供の成長に応じて天板の高さを調節する場合でも、常に天板の前部の両側部に側面パネルを位置させることができる。
【００１６】
請求項４によれば、前記両脚パネルの後端間に背面パネルを連結してなるので、両脚パネルと背面パネルとで平面視コ字形になった強度の高い支持構造で天板を支持することができるとともに、背面パネルがフロントパネルの作用をして視線を遮ることができ、更に集中力を向上させることができ、また天板の上方の両脚パネル間に棚板を取付ければ机上棚として機能するのである。
【００１７】
請求項５によれば、前記脚パネルの上端に延長脚パネルを取付け、前記側面パネルの下端部を前記天板の側面に取付けるとともに、該天板の高さに応じて前記延長脚パネルに対して前記側面パネルを高さ調節可能に取付けてなるので、更に子供が成長して天板の高さをより高く設定した場合でも、脚パネルの上端に取付けた延長脚パネルで、天板の上方に十分に高い状態で側面パネルを支持することができる。
【図面の簡単な説明】
【００１８】
【図１】本発明の側面パネル付きデスクの代表的実施形態を示す全体斜視図である。
【図２】同じく側面パネルを取付ける構造を示す分解斜視図である。
【図３】脚パネルの上端に延長脚パネルを連結した場合に、側面パネルを取付けた状態のデスクの全体斜視図である。
【図４】同じくデスクの部分分解斜視図である。
【図５】延長脚パネルに側面パネルを取付けた状態の縦断側面図である。
【図６】側面パネルを取外した状態のデスクの全体斜視図である。
【図７】側面パネルと延長脚パネルを取外してデスクに格納した状態の縦断側面図である。
【図８】本発明に係る側面パネル付きデスクにおいて、側面パネルの配置の仕方の態様を示した簡略平面図である。
【図９】側面パネルが下方にも延びた他の実施形態を示す簡略側面図である。
【図１０】本発明に係る側面パネル付きデスクと書棚とを組み合わせて使用する例を示す全体斜視図である。
【図１１】書棚と組み合わせて用いるワゴン収納体の斜視図である。
【発明を実施するための形態】
【００１９】
次に、添付図面に示した実施形態に基づき、本発明を更に詳細に説明する。図１及び図２は本発明に係る側面パネル付きデスクの代表的実施形態を示し、図３及び図４は上方へ拡張形態の側面パネル付きデスクの実施形態を示し、図中符号１は脚パネル、２は背面パネル、３は天板、４は側面パネル、５は延長脚パネル、６は延長背面パネルをそれぞれ示している。
【００２０】
本発明に係る側面パネル付きデスクは、両側に配した脚パネル１，１の後端間に背面パネル２を連結して平面視コ字形とし、両脚パネル１，１間の上下中間位置に、天板３の後部を高さ調節可能に支持した構造の木製デスクであって、前記天板３の側部で、前記脚パネル１の前部と天板３の前部との間を目隠し可能な側面パネル４を着脱可能に設けたものである。
【００２１】
更に詳しくは、前記側面パネル４は、前記天板３の側面に沿って前記脚パネル１の前面と天板３の側面とに着脱可能に取付ける。この際に、前記脚パネル１の上端と前記側面パネル４の上端を同一高さに取付け、前記天板３を、前記脚パネル１に対して高さ調節可能に支持するとともに、前記側面パネル４に対して高さ調節可能に取付けている。
【００２２】
前記側面パネル４を前記脚パネル１の前面に取付けた際には、両パネルが前後方向に一体化して外形が連続するようになる。図２に示すように、二つの部材を引き付けて連結する公知の連結具７を用いて、前記脚パネル１の前面に前記側面パネル４を連結する。前記連結具７は、一方の部材に突設する連結ピン８と、他方の部材に回転可能に埋設し、前記連結ピン８を受け入れて回転に伴って引き込む回転体９とからなっている。具体的は、前記脚パネル１の前面の上端部に、前記連結ピン８を螺合するオニメナット１０を埋設し、他方、前記側面パネル４の後面の上端部に前記連結ピン８を受け入れる通孔（図示せず）を形成するとともに、該通孔に連通し且つ前記回転体９を埋設する円孔１１を形成している。そして、前記脚パネル１のオニメナット１０に一端部を螺合して突設した連結ピン８を、前記側面パネル４の通孔から円孔１１に挿入した状態で、該円孔１１内に位置する連結ピン８の頭部に該円孔１１に側面から挿入した回転体９に係合させて引き付け連結するのである。前記オニメナット１０は、それと同等の機能を有する螺孔が所定位置に形成されれば良く、他のものも使用し得る。また、前記連結具７も着脱可能に二部材を連結することが可能な他の連結具を採用し得る。
【００２３】
一方、前記脚パネル１には、図１及び図２に示すように、両側縁に沿って上下方向へ一定間隔毎に複数対の支持孔１２，１２を内外貫通させて設けている。また、前記側面パネル４にも、両側縁に沿って上下方向へ一定間隔毎に複数対の取付孔１３，１３を内外貫通させて設けている。そして、前記天板３の下面側に取付けた箱状の取付体１４の両側面１５に、４つのナット部材１６，…を埋設し、前記脚パネル１の支持孔１２，１２と前記側面パネル４の取付孔１３，１３に側方から挿入した連結ボルト１７，…を、前記天板３の取付体１４のナット部材１６，…に螺合して該天板３を所定高さに支持している。ここで、上下方向の前記支持孔１２，…のピッチと取付孔１３，…は同一であり、また前記側面パネル４を前記脚パネル１の前面に取付けた状態では同一高さに位置し、前記天板３の高さを調節する場合には、前記支持孔１２，１２と取付孔１３，１３の位置を選択すればよい。
【００２４】
また、前記天板３より下方の前記両脚パネル１，１の下部間を、水平連結板１８と垂直連結板１９とで断面略Ｌ字形の姿勢で連結するとともに、前記天板３より上方の前記脚パネル１，１の上部間を棚板２０で連結し、強度を高めている。ここで、前記脚パネル１は、上下に長い側面視長方形の脚板１Ａの下端に前方へ安定脚１Ｂを固定し、側面視略コ字形となっている。前記水平連結板１８と垂直連結板１９及び棚板２０は、前記脚板１Ａに連結している。
【００２５】
前記天板３は、後部の両側部を前記脚パネル１，１に片持ち状態で支持されている。そこで、前記側面パネル４を脚パネル１の前面に沿わせた状態でその上端部を取付けるとともに、下部を前記天板３の取付体１４の側面１５に取付けると、該天板３の前部が側面パネル４を介して脚パネル１に吊り下げた状態で支持され、前記側面パネル４が天板３を支持するためのブラケットの作用をなして天板３の支持強度が格段に向上するのである。
【００２６】
また、前記天板３の後端で両側部を除き前記背面パネル２との間に間隙２１を設けるとともに、該間隙２１に連続する天板３の後端位置に単又は複数の切欠部２２を形成し、仕切板２３の後端下部に設けた断面略Ｌ字形の係止部２４を前記切欠部２２から挿入した後、側方へスライドさせて前記間隙２１に位置させて天板３の後端縁に係止することにより、前記仕切板２３を移動可能に設けている。また、前記棚板２０の後端と前記背面パネル２との間にも同様に間隙２５を形成するとともに、該棚板２０の後端で一側部又は両側部に切欠部２６を形成し、前記同様に仕切板２３を装着することができるようにしている。尚、前記棚板２０も取付ける高さを変更できるようにしている。
【００２７】
このように、前記天板３は、子供の成長に応じて、あるいは使用者の体格に応じて高さを調節することができ、本実施形態では６ｃｍピッチで５段階の高さ調節できるようにしている。また、前記天板３の前部の両側は、側面パネル４，４で視線が遮られており、勉強やデスクワークに集中できる環境となる。
【００２８】
成長した子供、あるいは体格が大きな使用者には、前記天板３を高い位置に設定した場合、該天板３より上方に位置する側面パネル４の高さが視線を遮るのに不十分になる。そこで、図３及び図４に示すように、前記脚パネル１の上端に延長脚パネル５を連結するとともに、前記背面パネル２の上端に延長背面パネル６を連結し、更に前記側面パネル４を前記延長脚パネル５の前面に高さ調節可能に取付けることができるようにしている。そのために、前記延長脚パネル５の前面に、前記支持孔１２，…の上下ピッチと同一ピッチで上下方向にオニメナット２７，…を複数埋設し、本実施形態では４つのオニメナット２７，…を埋設している。
【００２９】
本実施形態では、前記両延長脚パネル５，５の後端間に延長背面パネル６を、前記連結具７を用いて連結し、その状態で前記両脚パネル１，１と背面パネル２の上端に載置して同じく前記連結具７を用いて連結している。そのため、図４に示すように、前記脚パネル１、背面パネル２、延長脚パネル５及び延長背面パネル６の連結位置に、前記オニメナット１０と円孔１１の対を設けている。
【００３０】
前記延長脚パネル５と延長背面パネル６を用いることによって、前記天板３の上方に十分な高さの側面パネル４を位置させることができる。つまり、前記側面パネル４の最も下方の取付孔１３，１３を用いて前記天板３の取付体１４の側面１５に取付けて、該天板３の上方に最も高い状態で側面パネル４を位置させた状態で、前記天板３の高さを高く調節した場合、該側面パネル４の上端部を前記延長脚パネル５の前面に連結することができるのである。つまり、前記脚パネル１のオニメナット１０と４つのオニメナット２７，…は等ピッチになっており、前記天板３をどのような高さに設定しても側面パネル４を取付けることができるようにしている。また、前記天板３に対する側面パネル４の高さも好みに応じて調節できる。
【００３１】
図５は、前記天板３を最も高く設定するとともに、前記側面パネル４の高さも最大に取付けた状態を示し、この場合、前記側面パネル４の上端と延長脚パネル５の上端は高さが同一となる。ここで、前記棚板２０は、前記両延長脚パネル５，５間に付替えている。
【００３２】
前記側面パネル４は、図６に示すように、取外して使用することができる。その場合、取外した側面パネル４，４は、図７に示すように、前記背面パネル２の背面側の左右に予め設けておいたオニメナット２８，２８を利用し、前記背面パネル２の一つの取付孔１３に後方から挿入した連結ボルト１７を螺合して格納する。また、前記延長脚パネル５，５と延長背面パネル６を使用しない場合は、前記脚パネル１と背面パネル２から外して分解し、図７に示すように、延長背面パネル６は、前記水平連結板１８の上面前端部に立起状態で両脚パネル１，１間に取付け、前記水平連結板１８と延長背面パネル６及び垂直連結板１９とで形成した上方開放ボックス内に、前記２枚の延長脚パネル５，５を格納する。この脚入れ空間奥部のボックス内には、その他の物品を収容することも可能である。
【００３３】
本実施形態では、図８（ａ）に示すように、前記側面パネル４，４を、前記天板３の側面に沿って前記脚パネル１，１の前面と天板３の側面とに着脱可能に取付けたが、図８（ｂ）に示すように、側面パネル２９，２９を天板３の両側部上面に載置した状態で、前記脚パネル１，１の前縁との間を塞ぐように取付けることも可能である。更に、図８（ｃ）に示すように、両側の側面パネル３０，３０とその後端間を連結パネル３１で連結した平面視コ字形としたものを、前記天板３の上面に載置し、前記脚パネル１，１と背面パネル２の空間に嵌合して装着し、天板３の前部両側に側面パネル３０，３０を配置することも可能である。更に、図９に示すように、前記側面パネル４を上下方向に延長した形状の長尺の側面パネル３２を用い、該側面パネル３２を前記脚パネル１の脚板１Ａの前面に沿って配置し、安定脚１Ｂの上面に載置した状態で、前記同様に側面パネル３２を脚パネル１と天板３の側部に取付けることにより、天板３の前部両側に側面パネル３２，３２を配置することができる。この場合は、前記側面パネル３２は高さ調節しない。
【００３４】
最後に、本発明に係る側面パネル付きデスクＡと書棚Ｂを組み合わせて使用する例を図１０及び図１１に基づき説明する。書棚Ｂは、高さが前記延長脚パネル５の上端と同じ高さに設定し、両側板３３，３３と最下段の棚板３４の空間にワゴン収納体３５を格納している。前記ワゴン収納体３５は、下面に複数のキャスター３６，…を備え、移動可能となっている。図１１（ａ）に示すように、前記ワゴン収納体３５は、底面板３７の両側に側面板３８，３８を固定するとともに、後縁に背面板３９を固定し、前面側と上面側を開放した本体に、１枚の板体４０を前面側又は上面側に着脱可能に取付けることができる構造である。具体的には、線ダボ４１を前記両側面板３８，３８の前縁部と上縁部に付け替え可能とし、前記板体４０の両端面には前記線ダボ４１を受け入れる凹溝４２を形成してある。そして、図１１（ｂ）に示すように、前記板体４０を本体の上面側に水平に取付ければ、前方開放のオープン棚となり、図１１（ｃ）に示すように、本体の前面側に垂直に取付ければ、上方開放の収納ボックスとなる。尚、このワゴン収納体３５は、書棚Ｂから引き出して、前記デスクＡの側方に置いたり、また脚入れ空間に押し込んで使用することも可能である。
【符号の説明】
【００３５】
Ａ  デスク、            Ｂ  書棚、
１  脚パネル、          １Ａ  脚板、
１Ｂ  安定脚、          ２  背面パネル、
３  天板、              ４  側面パネル、
５  延長脚パネル、      ６  延長背面パネル、
７  連結具、            ８  連結ピン、
９  回転体、            １０  オニメナット、
１１  円孔、            １２  支持孔、
１３  取付孔、          １４  取付体、
１５  側面、            １６  ナット部材、
１７  連結ボルト、      １８  水平連結板、
１９  垂直連結板、      ２０  棚板、
２１  間隙、            ２２  切欠部、
２３  仕切板、          ２４  係止部、
２５  間隙、            ２６  切欠部、
２７  オニメナット、    ２８  オニメナット、
２９  側面パネル、      ３０  側面パネル、
３１  連結パネル、      ３２  側面パネル、
３３  側板、            ３４  棚板、
３５  ワゴン収納体、    ３６  キャスター、
３７  底面板、          ３８  背面板、
３９  背面板、          ４０  板体、
４１  線ダボ、          ４２  凹溝。
【図１】
0005817224.tif 000002
【図２】
0005817224.tif 000003
【図３】
0005817224.tif 000004
【図４】
0005817224.tif 000005
【図５】
0005817224.tif 000006
【図６】
0005817224.tif 000007
【図７】
0005817224.tif 000008
【図８】
0005817224.tif 000009
【図９】
0005817224.tif 000010
【図１０】
0005817224.tif 000011
【図１１】
0005817224.tif 000012